(57)【要約】【課題】スプーン及び／又はレンゲといった食品用具を用いて具入りの汁食品を食する際に、具を食品用具内に残したまま手軽に汁だけを排出し、かつ、汁をすくって飲む機能も損なわない食品用具を提供することを目的とする。【解決手段】汁及び／又は具を掬い食べ得る本体容器と、該本体容器の後端部に把持部である柄を連接して形成された、スプーン及び／又はレンゲといった食品用具に於いて、前記本体容器の対向する両側壁面部のうち一方のみの側壁面部の、前記把持部方向から見た場合における本体容器の前半面部であり、かつ、該本体容器の底面方向から見た場合における本体容器の上半面部となる位置に、汁排出用の排出口を設けて食品用具を構成する。【選択図】図１
2014033875.tif 000002
【特許請求の範囲】
【請求項１】
汁及び／又は具を掬い食べ得る少なくとも１個の本体容器と、該本体容器の後端部に把持部である少なくとも１本の柄を連接して形成された、スプーン及び／又はレンゲといった食品用具に於いて、前記本体容器の対向する両側壁面部のうち一方のみの側壁面部の、前記把持部方向から見た場合における本体容器の前半面部であり、かつ、該本体容器の底面方向から見た場合における本体容器の上半面部となる位置に、汁排出用の排出口を設けて構成したことを特徴とする食品用具。
【請求項２】
前記汁排出用の排出口が、直径０．５ミリメートル〜５ミリメートル、好ましくは１〜３ミリメートルの、２〜５個好ましくは３個の円状であり、本体容器の内側から外側方向に向けて見た場合に、外側に向かうにつれて上方に向かうように角度を設けて貫通していることを特徴とする、請求項１記載の食品用具。
【発明の詳細な説明】
【技術分野】
【０００１】
本発明は、スプーン及び／又はレンゲといった食品用具を用いて具入りの汁食品を食する際に、具を食品用具内に残したまま手軽に汁だけを排出し、かつ、汁をすくって飲む機能も損なわない構造にした食品用具に関するものである。
【背景技術】
【０００２】
ラーメン、雑炊又はスープリゾットといった具入りの汁食品を食する際には、具及び汁を掬うための、スプーンやレンゲといった食品用具が用いられている。
【０００３】
しかし、スープやレンゲによって具を掬おうとすると、一緒に汁も掬うことになり、具のみを食するには不向きであった。
【０００４】
このような課題を解決するために、スプーンやレンゲに汁排出用の孔等を設けることが、先行技術文献においても多数開示されている。
しかし、例えば特開２００４−８９６４７に開示された発明のように、食品用具の底面部に多数の汁排出用の孔を設けたものを使用すると、具は食品用具内に残っても、汁は急速に流れ出してしまい、汁をすくって飲む機能は損なわれていた。
また、例えば特開平９−９８８７５や特開平１１−２５３３３２等に開示された発明のように、食品用具の後端部近辺に汁排出用の孔を設けたものを使用すると、排出された汁が把持部を通じて手を汚すおそれがあった。
【先行技術文献】
【特許文献】
【０００５】
【特許文献１】特開平９−９８８７５号公報
【特許文献１】特開平１１−２５３３３２号公報
【特許文献１】特開２０００−３０８５８３号公報
【特許文献１】特開２０００−３３３８１０号公報
【特許文献１】特開２００４−８７３０号公報
【特許文献１】特開２００４−８９６４７号公報
【特許文献１】特開２００６−１５０９３号公報
【特許文献１】登録実用新案第３０１３８１３号公報
【特許文献１】登録実用新案第３０３２５６１号公報
【発明の概要】
【発明が解決しようとする課題】
【０００６】
本発明は、スプーン及び／又はレンゲといった食品用具を用いて具入りの汁食品を食する際に、具を食品用具内に残したまま手軽に汁だけを排出し、かつ、汁をすくって飲む機能も損なわない食品用具を提供することを目的とする。
【課題を解決するための手段】
【０００７】
本発明は、汁及び／又は具を掬い食べ得る少なくとも１個の本体容器と、該本体容器の後端部に把持部である少なくとも１本の柄を連接して形成された、スプーン及び／又はレンゲといった食品用具に於いて、前記本体容器の対向する両側壁面部のうち一方のみの側壁面部の、前記把持部方向から見た場合における本体容器の前半面部であり、かつ、該本体容器の底面方向から見た場合における本体容器の上半面部となる位置に、汁排出用の排出口を設けて構成したことを主要な特徴とする食品用具である。                
【０００８】
ここで、スプーンとは匙を意味し、レンゲとは中国や東南アジアで一般に用いられる匙の一種である散蓮華を意味するが、その名称によって、木材、プラスチック、陶、金属等の材質を限定するものではなく、略円形、略楕円形、舟形等の形状を限定するものでもない。
また、前記本体容器は、汁及び／又は具を掬い食べ得る形状となっていればよく、前記両側壁面部、底面部、及び後端部という記載は本発明の説明のための便宜的なものであって、必ずしも各部が明確に区別されうる形状となっている必要はなく、例えば、該本体容器が全体として略半円形の椀状の形状であり、前記両側壁面部、底面部、及び後端部が湾曲状に一体となって構成されていてもよい。
【０００９】
排出口は、直径０．５ミリメートル〜５ミリメートル、好ましくは１〜３ミリメートルの、１〜５個好ましくは３個の円状であり、本体容器の内側から外側方向に向けて見た場合に、外側に向かうにつれて上方に向かうように角度を設けて貫通していることが好ましい。
排出口の直径がこれより小さい場合には汁の排出機能が十分に発揮されず、一方で、排出口の直径がこれより大きい場合には汁が急速に流れ出てしまい、さらに汁とともに具も排出してしまい本発明の目的が達成できないおそれが増大する。
排出口が円状であることが好ましいのは、穿孔という実施容易な加工方法を用い、製造コストを安価に抑えるためである。
排出口が３個設けられていることが好ましいのは、排出口を複数設けることで、具によって排出口が詰まり汁排出機能が損なわれるおそれを減少させつつ、汁が急速に流れ出てしまわないようにするためである。
排出口が、本体容器の内側から外側方向に向けて見た場合に、外側に向かうにつれて上方に向かうように角度を設けて貫通していることが好ましいのは、意図しない汁の流出を最小限に抑えるためである。
【００１０】
もっとも、前記排出口の好ましい特徴は、全長１３センチメートル〜１６センチメートル程度の一般的なスプーン及び／又はレンゲといった食品用具の大きさを想定してのものであり、本発明の技術的思想から逸脱しない限り、食品用具自体の大きさ及び／又は本発明に係る食品用具を用いて食べようとする食品に含まれる具の大きさ、汁の粘度等の目的に適合させるために、排出口の大きさ、形状、数を変化させたものが本発明の技術的範囲に属することは言うまでもない。
また、例えば線状又は格子状に排出口を設けることも当然可能であるし、装飾的効果を得るために星や花を模した形状にしても、もちろん本発明の目的を達成することができ、これらが本発明の技術的範囲に属することは言うまでもない。
【発明の効果】
【００１１】
本発明に係る食品用具は、スプーン及び／又はレンゲといった食品用具を用いて具入りの汁食品を食する際に、具を食品用具内に残したまま手軽に汁だけを排出し、かつ、汁をすくって飲む機能も損なわない。
また、本発明に係る食品用具は、対向する両側壁面部のうち一方のみの側壁面部に排出口を設ける構成となっているため、排出口を設けていない側の側壁面部からは排出口に唇を当てることなくスープを飲むことができ、通常のスプーン及び／又はレンゲといった食品用具との、使用に関する違和感は最小限に抑えられる。
【００１２】
さらに、本発明に係る食品用具は、該食品用具の一部に排出口を設けるという実施容易な構成を用いるため、安価にこのような食品用具を製造することが可能となる利点がある。
【図面の簡単な説明】
【００１３】
【図１】図１は本発明の一例を示した斜視図である。
【発明を実施するための最良の形態】
【００１４】
以下、本発明の実施の形態を説明する。なお、本発明の技術的思想から逸脱しない限り、これら実施の形態に種々の変更及び／又は追加が可能なことは言うまでもない。
【００１５】
図１に示すように、汁及び／又は具を掬い食べ得る本体容器１と、該本体容器の後端部４に把持部である把持部である柄５が連接して形成されている。
図１は右利きの者の使用を想定した本発明に係る食品用具であり、前記本体容器の対向する両側壁面部２ａ及び２ｂのうち一方のみ、すなわち前記把持部５方向から見た場合における本体容器１の右側壁面２ａの前半面部であり、かつ、該本体容器の底面３方向から見た場合における本体容器の上半面部となる位置に、汁排出用の排出口６を設けている。
【実施例１】
【００１６】
第１の実施例として、図１に示す右利きの者の使用を想定した本発明に係る食品用具について説明する。
【００１７】
本発明に係る食品用具の使用者は具入りの汁食品を食する際に、把持部である柄５を利き手である右手で持ち、本体容器１で汁及び／又は具を掬い食べる。
排出口６は本体容器１の右側壁面２ａの前半面部であり、かつ、該本体容器の底面３方向から見た場合における本体容器１の上半面部となる位置にあるため、通常の使用では排出口６からこぼれ出る汁の量は抑えられ本体容器１の下半面部には汁が残り、また、右側壁面２ａの前半面部にある排出口６からこぼれ出した汁が把持部５を伝って手を汚すおそれも少ない。
また、右利きの使用者が把持部５を利き手である右手で持った場合には、側壁面部２ｂが使用者の側に向くことになるが、側壁面部２ｂからは排出口６に唇を当てることなくスープを飲むことができ、通常のスプーン及び／又はレンゲといった食品用具との、使用に関する違和感は最小限に抑えられる。
【００１８】
汁を多く排出して具のみを食したい場合には、把持部５を使用者から見て向かい側方向に傾けることで、排出口６から具を食品用具内に残したまま手軽に汁だけを排出することができる。
汁は使用者から見て向かい側方向に排出されるため、排出口６から排出された汁が使用者を汚すおそれも少ない。
【００１９】
さらに、図１に示す本発明に係る食品用具は、円形の排出口６を穿孔するという実施容易な構成を用いるため、安価にこのような食品用具を製造することが可能となる利点がある。
【実施例２】
【００２０】
第２の実施例として、図１を引用・参照した上で、左利きの者の使用を想定した本発明に係る食品用具について説明する。
【００２１】
本発明に係る食品用具の使用者は具入りの汁食品を食する際に、把持部である柄５を利き手である左手で持ち、本体容器１で汁及び／又は具を掬い食べる。
当該実施例では、排出口６は本体容器１の左側壁面２ｂの前半面部であり、かつ、該本体容器の底面３方向から見た場合における本体容器１の上半面部となる位置に設けられることとなる。
そのため、通常の使用では排出口６からこぼれ出る汁の量は抑えられ本体容器１の下半面部には汁が残り、また、右側壁面２ｂの前半面部にある排出口６からこぼれ出した汁が把持部５を伝って手を汚すおそれも少ない。
また、左利きの使用者が把持部５を利き手である左手で持った場合には、側壁面部２ａが使用者の側に向くことになるが、側壁面部２ａからは排出口６に唇を当てることなくスープを飲むことができ、通常のスプーン及び／又はレンゲといった食品用具との、使用に関する違和感は最小限に抑えられる。
【００２２】
汁を多く排出して具のみを食したい場合には、把持部５を使用者から見て向かい側方向に傾けることで、排出口６から具を食品用具内に残したまま手軽に汁だけを排出することができる。
汁は使用者から見て向かい側方向に排出されるため、排出口６から排出された汁が使用者を汚すおそれも少ない。
【００２３】
さらに、図１に示す本発明に係る食品用具は、円形の排出口６を穿孔するという実施容易な構成を用いるため、安価にこのような食品用具を製造することが可能となる利点があるのも、実施例１と同様である。
【符号の説明】
【００２４】
１    本体容器
２ａ  右側壁面部
２ｂ  左側壁面部
３    底面部
４    後端部
５    把持部
【図１】
2014033875.tif 000003